(57)【要約】【課題】外壁（外装材）の重量に関わらず、通気胴縁の留め付け箇所数を削減できると共に、市販の留め付け金具を採用でき、施工コストを低減し得る外張り断熱構造及びその施工方法を提供する。【解決手段】建築物の軸部の外側に板状断熱材６を設け、その外面に通気胴縁７を介して外装材８を設けた構成を有する外張り断熱構造において、１階では基礎１、上層階にあっては大断面の胴差しや桁・梁等の横架材上に通気胴縁７が支持された構造を有することを特徴とする。【選択図】      図１
2004232198.tif 000002
【特許請求の範囲】
【請求項１】
建築物の軸部の外側に断熱材を設け、その外面に通気胴縁を介して外装材を設けた構成を有する外張り断熱構造において、
構造躯体上もしくは構造躯体を支持する支持層上に通気胴縁が支持された構造を有することを特徴とする外張り断熱構造。
【請求項２】
建築物の１階では、基礎上に通気胴縁が支持されることを特徴とする請求項１に記載の外張り断熱構造。
【請求項３】
通気胴縁と基礎との間に、該通気胴縁を支持する受け材が設けられていることを特徴とする請求項２に記載の外張り断熱構造。
【請求項４】
前記受け材が、基礎の外周全域に連続して設けられていることを特徴とする請求項３に記載の外張り断熱構造。
【請求項５】
建築物の上層階では、横架材上に通気胴縁が支持されることを特徴とする請求項１に記載の外張り断熱構造。
【請求項６】
前記通気胴縁が、格子状に組まれていることを特徴とする請求項１乃至５のいずれか一項に記載の外張り断熱構造。
【請求項７】
建築物の軸部の外側に断熱材を設け、その外面に通気胴縁を介して外装材を設けた構成を有する外張り断熱構造の施工方法において、
構造躯体上もしくは構造躯体を支持する支持層上に通気胴縁を突き付けた状態で、該通気胴縁を留め付け金具によって軸部に取り付けることを特徴とする外張り断熱構造の施工方法。
【発明の詳細な説明】
【０００１】
【発明の属する技術分野】
本発明は、建築物における外張り断熱構造及びその施工方法に関する。
【０００２】
【従来の技術】
近年、建築物の断熱構造への関心は居住性向上要求並びに省エネルギーの必要性と相まって一層高まりつつあり、建築物の軸部の外側に板状断熱材を設け、その外面に外装材を設ける、所謂「外張断熱工法」が普及しつつある。
【０００３】
図９は従来の木造住宅における外張り断熱構造の要部を示す立断面図である。図９に示すように、基礎１０１の外周面には、断熱材１１０、モルタル１１１の順に基礎外断熱が施されている。また、断熱壁の構造は、室内側から見て、構造用合板１０５、断熱材１０６、木製若しくは金属製の通気層を兼ねた外壁下地胴縁（以下、「通気胴縁」と記す。）１０７、外装材１０８の順に配置されており、断熱材１０６と外装材１０８の間に通気層が形成されている。
【０００４】
外張断熱工法の外壁施工に際しては、前工程の段階で、通気胴縁１０７を、在来軸組工法では断熱材１０６を介して柱・間柱等に、また枠組壁工法では断熱材を介して縦枠材等に、鉄骨造にあっては断熱材を介してＣ型鋼等の構造軸組材に、釘若しくはビス等の留め付け金具（以下、「留め付け金具」と記す。）を必要な長さで必要な間隔に留め付けている。
【０００５】
外装材１０８はこの通気胴縁１０７に取り付けられるが、近年、中空セメント系、軽量コンクリート系、窯業系、セラミック系等の外装材は、高級感を持たせるために重量の大きなものが使用されるようになってきている。
【０００６】
【発明が解決しようとする課題】
ところで、通気胴縁１０７を建築物の軸部（柱・間柱等）に固定する留め付け金具の取付間隔は、外壁（外装材１０８）の重量に応じて、断熱材１０６の厚さも考慮し、留め付け金具の強度計算を実施の上、決定しなければならない。
【０００７】
図９に示したように、従来の外張り断熱構造では通気胴縁１０７の下端は支持されていないため、留め付け金具には水平方向に働く引張力よりも、鉛直方向に働くせん断力や曲げ耐力（一部通気胴縁と構造体との摩擦力も考慮）が大きく作用することとなり、留め付け金具の取付間隔や種類の選定は、主に鉛直方向に働くせん断力や曲げ耐力によって決定していた。
【０００８】
しかしながら、前述のように、近年は、より重量の大きな外装材が使用される傾向にあり、外装材を保持する為のせん断耐力を確保する為に、留め付け金具の取付間隔はますます小さくなり、数量が増える傾向にある。
【０００９】
また、近年、地球温暖化等の環境上の問題がクローズアップされ、建物の高断熱化による省エネルギーが必須であり、断熱材の厚みもより厚い仕様となってきている。この為、留め付け金具の長さが長く、太くなる傾向にある。
【００１０】
このため、施工的に以下のような問題が生じるようになった。
▲１▼施工工数が増え、留め付け金具の使用量が増加する。
▲２▼市販の汎用的な留め付け金具が使用できず、特殊なものに頼らざるを得ない。
▲３▼その結果、コストアップになる。
▲４▼木質系の場合、留め付け金具の径が大きくなることにより、通気胴縁や軸組み材（間柱等）の割れが生じ構造的に問題が発生したり、取替え作業が増加する。
【００１１】
本発明はこのような問題点に鑑みてなされたもので、外壁（外装材）の重量に関わらず、通気胴縁の留め付け箇所数を削減できると共に、市販の留め付け金具を採用でき、施工コストを低減し得る外張り断熱構造及びその施工方法を提供することを目的とする。
【００１２】
【課題を解決するための手段】
上記の目的を達成すべく成された本発明の構成は、以下の通りである。
【００１３】
即ち、本発明は、建築物の軸部の外側に断熱材を設け、その外面に通気胴縁を介して外装材を設けた構成を有する外張り断熱構造において、構造躯体上もしくは構造躯体を支持する支持層上に通気胴縁が支持された構造を有することを特徴とする。
【００１４】
本発明の外張り断熱構造は、好ましい形態として、
「建築物の１階では、基礎上に通気胴縁が支持されること」、
「通気胴縁と基礎との間に、該通気胴縁を支持する受け材が設けられていること」、
「前記受け材が、基礎の外周全域に連続して設けられていること」、
「建築物の上層階では、横架材上に通気胴縁が支持されること」、
「前記通気胴縁が、格子状に組まれていること」、
を含む。
【００１５】
また、本発明は、建築物の軸部の外側に断熱材を設け、その外面に通気胴縁を介して外装材を設けた構成を有する外張り断熱構造の施工方法において、構造躯体上もしくは構造躯体を支持する支持層上に通気胴縁を突き付けた状態で、該通気胴縁を留め付け金具によって軸部に取り付けることを特徴とする。
【００１６】
本発明によれば、通気胴縁を構造躯体（１階では基礎、上層階にあっては大断面の胴差しや桁・梁等の横架材）もしくは支持層（基礎以外のコンクリート（捨てコンクリート等）、砕石、栗石等を含む）の上に突き付けるなどして支持せしめることにより、通気胴縁の留め付け金具には主に水平方向に働く引張力のみを期待する。このため、留め付け金具の規格寸法や取付間隔も外装材の種類に関係なく概ね一定にすることが可能である。
【００１７】
すなわち、外壁の重量を、通気胴縁を留める留め付け金具の耐力のみに頼ることなく、構造躯体もしくは支持層の上に通気胴縁を支持せしめ、外壁の重量を通気胴縁を介して構造躯体等に伝達させる構造とすることにより、留め付け金具には主に水平方向に働く引張力のみを負担させることが可能となる。
【００１８】
【発明の実施の形態】
本発明は、建築物の軸部（例えば、在来軸組工法における柱・間柱等、枠組壁工法における縦枠材等、鉄骨造におけるＣ型鋼等の構造軸組材等）の外側に断熱材を設け、その外面に通気胴縁を介して外装材を設けた構成を有する外張り断熱構造であり、断熱材および通気胴縁を含むことが必須である。
【００１９】
断熱材としては、繊維系のフェルト状の断熱材であってもよいが、板状断熱材が好ましい。中でも、軽量で耐水性・断熱性に優れたものが好ましく、独立気泡を有する合成樹脂発泡体が好適である。具体的には、例えばポリスチレン発泡体，ポリエチレン発泡体，ポリウレタン発泡体等の独立気泡を有する合成樹脂発泡体が好適である。特に押出発泡ポリスチレン（商品名「スタイロフォーム」：ダウ化工（株）製）は、その高い断熱性及び低い吸水性の故に最も好ましい。
【００２０】
通気胴縁としては、従来から用いられている木材の他に、後述する図７のようにモルタル又は地中に入る場合には、耐食性のある合成樹脂（発泡倍率１〜３倍程度の低発泡品を含む）または金属製からなるものが好ましい。この通気胴縁は、断熱壁の通気層を形成する目的で、通常、厚さ１０〜３０ｍｍ×幅２０〜７０ｍｍ程度の長尺部材を、例えば柱・間柱の位置に対応して垂直に配置され、柱・間柱に釘若しくはビス等の留め付け金具で止められる。
【００２１】
以下、本発明の実施形態例を説明するが、本発明はこれらの形態例に限定されるものではない。
【００２２】
（第１の実施形態例）
本発明の第１の実施形態例を図１乃至３を用いて説明する。図１は本実施形態に係る木造住宅における外張り断熱構造の要部を模式的に示す立断面図であり、図２は平断面図であり、図３は水切板の斜視図である。
【００２３】
図１及び図２に示すように、基礎１の上には土台２がアンカーボルト（不図示）により固定されている。そして、土台２には、柱３及び間柱４が立設されて、軸部を構成している。また、基礎１の外周面には、押出発泡ポリスチレン板（板状断熱材）１０、不図示の下地材（アングルラス）、モルタル１１の順に基礎外断熱が施されている。
【００２４】
本例の断熱壁の構造は、室内側から見て、構造用合板５、押出発泡ポリスチレン板（板状断熱材）６、通気胴縁７、外装材８の順に配置されており、板状断熱材６と外装材８の間に通気層９が形成されている。この通気層９は、断熱材の内部、断熱材と断熱材のジョイント部および断熱材と柱・間柱の隙間等に形成される内部結露水や高湿の空気を、通気層を通して外部に放散させ、壁体内を乾燥状態に保ち、木の腐蝕を防止するために設けられている。尚、断熱材６と通気胴縁７との間に防湿防水シートを設けることが好ましい。
【００２５】
外装材８は、中空セメント系、軽量コンクリート系、窯業系、セラミック系等の外装材を用いた乾式施工であっても、例えば通気胴縁７に通気工法用のアングルラス等を取り付け、その上にモルタル塗りするなどの湿式施工であっても構わない。
【００２６】
外装材８の下端部には水切板１２が取り付けられている。本例の水切板１２には、図３に示すように、通気口１３が設けられており、この通気口１３によって外気と通気層９が連通している。
【００２７】
本例の基礎１の立ち上がり部は、土台２よりも十分広い幅で施工される。そして、通気胴縁７は、柱３及び間柱４の位置に対応して垂直に配置され、その下端は構造躯体である基礎１上（基礎天端上）に直接支持され、留め付け金具１４によって柱３及び間柱４に固定されている。このため、外装材８の重量を通気胴縁７を介して基礎１に伝達させる構造となっており、留め付け金具１４には主に水平方向に働く引張力のみを負担させることができる。
【００２８】
このように、通気胴縁７を基礎１上（基礎天端上）に突き付けるなどして支持せしめることにより、留め付け金具１４の数を削減できると共に、市販の汎用的な留め付け金具を使用することができる。
【００２９】
また、外装材８の重量を半永久的に且つ確実に保持することができ、通気胴縁の割れ防止、軸組み材（特に間柱）の割れ防止、さらには外壁クリープ（ズレ）防止等を効果的に図ることができる。
【００３０】
尚、通気胴縁７は、１階では図示のように基礎１上（基礎天端上）に突き付けるなどして支持するが、上層階にあっては、大断面の胴差しや桁・梁等の横架材の上に突き付けることにより支持させることができる。
【００３１】
（第２の実施形態例）
本発明の第２の実施形態例を図４を用いて説明する。図４は本実施形態に係る木造住宅における外張り断熱構造の要部を模式的に示す立断面図である。
【００３２】
本実施形態例は、通気胴縁７と基礎１との間に通気胴縁７を支持する受け材１５を設けた以外は、第１の実施形態例と同様である。
【００３３】
受け材１５の材質は特に限定されないが、従来から用いられている木材の他に、通気胴縁７からの鉛直荷重に耐え、且つ耐久性のあるコンクリート製、樹脂製、金属製のブロック状のものが好ましい。
【００３４】
受け材１５は、通気胴縁７の立設箇所にのみ設けることもできるが、板状断熱材６の外周全域の基礎１上に連続して設けることが好ましい。これにより、白蟻の侵入を効果的に防止することもできる。
【００３５】
本例においても、通気胴縁７の下端は受け材１５を介して基礎１上（基礎天端上）に支持されているため、外装材８の重量を通気胴縁７を介して基礎１に伝達させる構造となっており、留め付け金具１４には主に水平方向に働く引張力のみを負担させることができる。
【００３６】
（第３の実施形態例）
本発明の第３の実施形態例を図５及び図６を用いて説明する。図５は本実施形態に係る木造住宅における外張り断熱構造の要部を模式的に示す平断面図であり、図６は通気胴縁の立面図である。
【００３７】
本実施形態例は、通気胴縁として格子状に組まれたものを用いること以外は、第１の実施形態例と同様である。
【００３８】
本例の通気胴縁７’は、縦胴縁１６と横胴縁１７で面一に構成されており、横胴縁１７には通気口１８が開口されている。このように格子状に組まれた通気胴縁を用いることにより、外装材の横及び縦張りのどちらにも対応することができると同時に、現場での工数・工期の低減を図ることができる。
【００３９】
尚、格子状の通気胴縁７’を構成する場合、上下端の横胴縁１７はレベル出し及び強度の点で設けたほうが好ましいが、必須ではない。また、格子は本例のように縦胴縁１６と横胴縁１７が面一で組んでも、縦胴縁１６の外側に横胴縁１７を組んでも良い。
【００４０】
本例の格子状の通気胴縁７’は、各階毎に階高に対応する高さとなるように組んで構成するのが好ましい。そして、上層階にあっては、胴差しや桁・梁等の横架材の上に支持させることができる。
【００４１】
本例においても、通気胴縁７’の下端は基礎１上（基礎天端上）に直接支持されているため、外装材８の重量を通気胴縁７’を介して基礎１に伝達させる構造となっており、留め付け金具１４には主に水平方向に働く引張力のみを負担させることができる。
【００４２】
（第４の実施形態例）
本発明の第４の実施形態例を図７を用いて説明する。図７は本実施形態に係る木造住宅における外張り断熱構造の要部を模式的に示す立断面図である。
【００４３】
本実施形態例は、通気胴縁７を基礎天端上ではなく、地中の基礎スラブ上に突き付けて支持させる以外は、第１の実施形態例とほぼ同様である。
【００４４】
本例の場合には、基礎１の立ち上がり部の幅を特別に広く施工する必要がなく、基礎工事に関してはコスト的に有利である。一方、１階部分の通気胴縁の長さが長くなり、より大断面の通気胴縁が要求される場合がある。尚、基礎１の立ち上がり部では、通気胴縁７に不図示の下地材（アングルラス等）を取り付け、その上にモルタル１１が施工される。
【００４５】
本例では通気胴縁７を地中の基礎スラブ上で支持させているが、地中まで通気胴縁７を延ばす場合には、例えば捨てコンクリートのように基礎以外のコンクリートや、砕石、栗石等の支持層の上に支持させることもできる。
【００４６】
本例のような構造においても、第２の実施形態例のように通気胴縁７と基礎１との間に受け材１５を設けたり、第３の実施形態例のように格子状に組まれた通気胴縁を用いることができる。
【００４７】
また、本例においても、通気胴縁７の下端は基礎１上（基礎スラブ上）に直接支持されているため、外装材８の重量を通気胴縁７を介して基礎１に伝達させる構造となっており、留め付け金具１４には主に水平方向に働く引張力のみを負担させることができる。
【００４８】
（第５の実施形態例）
本発明の第５の実施形態例を図８を用いて説明する。図８は本実施形態に係る木造住宅における外張り断熱構造の要部を模式的に示す立断面図である。
【００４９】
本実施形態例は、押出発泡ポリスチレン板（板状断熱材）１９を基礎１に挟み込み基礎幅を広くして通気胴縁７の受け場所を確保している以外は、第１の実施形態例とほぼ同様である。
【００５０】
本例の場合には、基礎１に断熱材１９を挟み込むことで、基礎外断熱工法における断熱材を白蟻・劣化等から効果的に保護することができる。
【００５１】
尚、本例のような構造においても、第２の実施形態例のように通気胴縁７と基礎１との間に受け材１５を設けたり、第３の実施形態例のように格子状に組まれた通気胴縁を用いることができる。
【００５２】
本例においても、通気胴縁７の下端は基礎１上（基礎スラブ上）に直接支持されているため、外装材８の重量を通気胴縁７を介して基礎１に伝達させる構造となっており、留め付け金具１４には主に水平方向に働く引張力のみを負担させることができる。
【００５３】
以上、木造住宅の外張り断熱構造を例に挙げて本発明を説明したが、本発明の外張り断熱構造は木造建築物に限定されるものではなく、例えば鉄骨造であればＣ鋼等の構造軸組材の外側に板状断熱材を設け、その外面に通気胴縁を介して外装材を設ける際に、１階では基礎等、上層階にあってはＩ型鋼等の横架材の上に通気胴縁を支持せしめ、外壁の重量を通気胴縁を介して構造躯体に伝達させる構造とすることができる。
【００５４】
【発明の効果】
以上説明したように、本発明によれば、通気胴縁を構造躯体上もしくは構造躯体を支持する支持層上で支持することにより、通気胴縁の留め付け金具には主に水平方向に働く引張力のみを負担させることができ、外壁（外装材）の重量に関わらず、留め付け箇所数を削減できると共に、市販の留め付け金具を採用でき、外張り断熱構造の施工コストを低減することができる。
【００５５】
また、外壁（外装材）の重量を半永久的に且つ確実に保持することができ、通気胴縁の割れ防止、軸組み材（特に間柱）の割れ防止、さらには外壁クリープ（ズレ）防止等を効果的に図ることができる。
【図面の簡単な説明】
【図１】本発明の第１の実施形態に係る木造住宅における外張り断熱構造の要部を模式的に示す立断面図である。
【図２】本発明の第１の実施形態に係る木造住宅における外張り断熱構造の要部を模式的に示す平断面図である。
【図３】本発明の第１の実施形態に係る外張り断熱構造における水切板の斜視図である。
【図４】本発明の第２の実施形態に係る木造住宅における外張り断熱構造の要部を模式的に示す立断面図である。
【図５】本発明の第３の実施形態に係る木造住宅における外張り断熱構造の要部を模式的に示す平断面図である。
【図６】本発明の第３の実施形態に係る外張り断熱構造における通気胴縁の立面図である。
【図７】本発明の第４の実施形態に係る木造住宅における外張り断熱構造の要部を模式的に示す立断面図である。
【図８】本発明の第５の実施形態に係る木造住宅における外張り断熱構造の要部を模式的に示す立断面図である。
【図９】従来の木造住宅における外張り断熱構造の要部を模式的に示す立断面図である。
【符号の説明】
１  基礎
２  土台
３  柱
４  間柱
５  構造用合板
６  板状断熱材
７、７’  通気胴縁
８  外装材
９  通気層
１０  板状断熱材
１１  モルタル
１２  水切板
１３  通気口
１４  留め付け金具
１５  受け材
１６  縦胴縁
１７  横胴縁
１８  通気口
１９  板状断熱材
１０１  基礎
１０５  構造用合板
１０６  板状断熱材
１０７  通気胴縁
１０８  外装材
１１０  板状断熱材
１１１  モルタル
【図１】
2004232198.tif 000003
【図２】
2004232198.tif 000004
【図３】
2004232198.tif 000005
【図４】
2004232198.tif 000006
【図５】
2004232198.tif 000007
【図６】
2004232198.tif 000008
【図７】
2004232198.tif 000009
【図８】
2004232198.tif 000010
【図９】
2004232198.tif 000011